【手続補正書】
【提出日】平成16年1月14日(2004.1.14)
【手続補正１】
【補正対象書類名】明細書
【補正対象項目名】特許請求の範囲
【補正方法】変更
【補正の内容】
【特許請求の範囲】
【請求項１】
ｋビットの第１伝送形式組み合わせ表示(ＴＦＣＩ)ビット及び(１０−ｋ)ビットの第２ＴＦＣＩビットを符号化する移動通信システムの送信装置で、全部で３２個の第１ＴＦＣＩ符号化シンボル及び第２ＴＦＣＩ符号化シンボルをラジオフレームにマッピングする方法において、
前記ラジオフレームの伝送モード及び伝送率によって前記第１ＴＦＣＩ符号化シンボル及び第２ＴＦＣＩ符号化シンボルが均等の間隔で分布されるように多重化して３２個の符号化シンボルを出力する過程と、
前記ラジオフレームの伝送モード及び伝送率によって決定される１つのラジオフレームにマッピングできる符号化シンボルの数を満足するように前記 多重化した３２個の符号化シンボルを前記ラジオフレームにマッピングする過程と、
を含むことを特徴とする方法。
【請求項２】
前記ＴＦＣＩ符号化シンボルは下記の数式によって計算される位置で多重化されることを特徴とする請求項１記載の方法。
【数１】
2003051760.tif 000001
ここで、ｎは、前記第１ＴＦＣＩ符号化シンボルの総数であり、ｉは、前記第１ＴＦＣＩ符号化シンボルのうち任意の符号化シンボルを示すインデックスである。
【請求項３】
前記符号化した第２ＴＦＣＩは下記の数式によって計算される位置で多重化されることを特徴とする請求項１記載の方法。
【数２】
2003051760.tif 000002
ここで、ｎは、前記第１ＴＦＣＩ符号化シンボルの総数であり、ｍは、前記第２ＴＦＣＩ符号化シンボルの総数であり、ｉは、前記第１ＴＦＣＩ符号化シンボルのうち任意の符号化シンボルを示すインデックスである。
【請求項４】
前記１つのラジオフレームにマッピングできる符号化シンボルの数が３０である場合、前記第１ＴＦＣＩ符号化シンボルのうち任意の１つ及び前記第２ＴＦＣＩ符号化シンボルのうち任意の１つを除いた３０個の符号化シンボルを前記ラジオフレームにマッピングすることを特徴とする請求項１記載の方法。
【請求項５】
前記第１ＴＦＣＩ符号化シンボルのうち任意の１つは、前記第１ＴＦＣＩ符号化シンボルの最後の符号化シンボルであり、前記第２ＴＦＣＩ符号化シンボルの任意の１つは、前記第２ＴＦＣＩシンボルの最後の符号化シンボルであることを特徴とする請求項４記載の方法。
【請求項６】
前記１つのラジオフレームにマッピングできる符号化ンボルの数が３０である場合、前記符合化した第１ＴＦＣＩシンボルのうち任意の２つの符号化シンボルまたは前記第２ＴＦＣＩ符号化シンボルのうち任意の２つの符号化シンボルを除いた３０個の符号化シンボルを前記ラジオフレームにマッピングすることを特徴とする請求項１記載の方法。
【請求項７】
前記１つのラジオフレームにマッピングできる符号化シンボルの数が１２０である場合、前記多重化した３２個の符号化シンボルを３回繰り返し、前記多重化した３２個の符号化シンボルのうち最初の２４個の符号化シンボルをさらに繰り返して前記ラジオフレームにマッピングすることを特徴とする請求項１記載の方法。
【請求項８】
前記１つのラジオフレームにマッピングできる符号化シンボルの数が３２である場合、前記多重化した３２個の符号化シンボルを前記ラジオフレームにマッピングすることを特徴とする請求項１記載の方法。
【請求項９】
前記１つのラジオフレームにマッピングできる符号化シンボルの数が１２８である場合、前記多重化した３２個の符号化シンボルを４回繰り返して前記ラジオフレームにマッピングすることを特徴とする請求項１記載の方法。
【請求項１０】
移動通信システムの送信装置で、第１伝送形式組み合わせ表示(ＴＦＣＩ)ビット及び第２ＴＦＣＩビットをラジオフレームを通して伝送する装置において、
ｋビットの第１ＴＦＣＩビットを第１符号率で符号化して(３ｋ＋１)個の第１ＴＦＣＩ符号化シンボルを出力し、(１０−ｋ)ビットの第２ＴＦＣＩビットを第２符号率で符号化して(３１−３ｋ)個の第２ＴＦＣＩシンボルを出力する少なくとも１つの符号器と、
前記ラジオフレームの伝送モード及び伝送率によって前記第１ＴＦＣＩ符号化シンボル及び第２ＴＦＣＩシンボルが均等の間隔で分布されるように多重化し、１つのラジオフレームを通して伝送できる符号化シンボルの数によって前記多重化した符号化シンボルを出力する符号化シンボル配置器と、
を含むことを特徴とする装置。
【請求項１１】
前記第１ＴＦＣＩビット及び前記第２ＴＦＣＩビットをｋ値によって選別し、前記選別されたＴＦＣＩビットを前記符号器に提供する選別出力器をさらに備えることを特徴とする請求項１０記載の装置。
【請求項１２】
前記符号化シンボル配置器は、前記第１ＴＦＣＩ符号化シンボルが下記数式によって決定された位置で出力されるように前記符号化シンボルを多重化することを特徴とする請求項１０記載の装置。
【数３】
2003051760.tif 000003
ここで、ｎは、前記第１ＴＦＣＩ符号化シンボルの総数であり、ｉは、前記第１ＴＦＣＩ符号化シンボルのうち任意の符号化シンボルを示すインデックスである。
【請求項１３】
前記符号化シンボル配置器は、前記第２ＴＦＣＩ符号化シンボルが下記の数式によって決定された位置で出力されるように前記符号化シンボルを多重化することを特徴とする請求項１０記載の装置。
【数４】
2003051760.tif 000004
ここで、ｎは、前記第１ＴＦＣＩ符号化シンボルの総数であり、ｍは、前記第２ＴＦＣＩ符号化シンボルの総数であり、ｉは、前記第１ＴＦＣＩ符号化シンボルのうち任意の符号化シンボルを示すインデックスである。
【請求項１４】
移動通信システムの送信装置で、第１伝送形式組み合わせ表示(ＴＦＣＩ)ビット及び第２ＴＦＣＩビットをラジオフレームを通して伝送する方法において、
ｋビットの第１ＴＦＣＩビットを第１符号率で符号化して(３ｋ＋１)個の第１ＴＦＣＩシンボルを出力する過程と、
(１０−ｋ)ビットの第２ＴＦＣＩビットを第２符号率で符号化した(３１−３ｋ)個の第２ＴＦＣＩシンボルを出力する過程と、
前記ラジオフレームの伝送モード及び伝送率によって前記符号化した１ＴＦＣＩシンボル及び前記第２ＴＦＣＩ符号化シンボルが均等の間隔で分布されるように、前記符号化した１ＴＦＣＩシンボル及び第２ＴＦＣＩシンボルＴＦＣＩを多重化する過程と、
１つのラジオフレームを通して伝送できる符号化シンボルの数によって前記多重化した符号化シンボルを出力する過程と、
を含むことを特徴とする方法。
【請求項１５】
前記第１ＴＦＣＩ符号化シンボルが下記の数式によって決定された位置で出力されることを特徴とする請求項１４記載の方法。
【数５】
2003051760.tif 000005
ここで、ｎは、前記第１ＴＦＣＩ符号化シンボルの総数であり、ｉは、前記第１ＴＦＣＩ符号化シンボルのうち任意の符号化シンボルを示すインデックスである。
【請求項１６】
前記第２ＴＦＣＩ符号化シンボルは下記の数式によって決定された位置で出力されることを特徴とする請求項１４記載の方法。
【数６】
2003051760.tif 000006
ここで、ｎは、前記第１ＴＦＣＩ符号化シンボルの総数であり、ｍは、前記第２ＴＦＣＩ符号化シンボルの総数であり、ｉは、前記第１ＴＦＣＩ符号化シンボルのうち任意の符号化シンボルを示すインデックスである。